(57)【要約】      （修正有）【課題】水分に強く、水分を含んだ場合でも変形しない透光性シートを提供する。【解決手段】照明器具等を囲うセード、カバー等に用いられる透光性シートであって、１又は複数枚の透光性かつ多孔性の基材２と、基材２に含浸させるとともに基材２の表面及び裏面を被覆した接着剤３と、で構成され、接着剤３として、澱粉系の糊に、接着剤３の全重量の１〜１．５％程度の割合の耐水強化剤を入れてなる耐水性接着剤３を用いたことを特徴としている。これにより、水分を含んでも溶けることがなく、また、水分の影響で伸縮、変形することが無い透光性シートを得ることができ、そのため、透光性シートでは、和紙に裏打ちする場合においても、接着剤によって透光性シートが伸縮することが無いために、和紙にしわが出来てしまうことがない。【選択図】図１
0003143533.tif 000002
【実用新案登録請求の範囲】
【請求項１】
照明器具等を囲うセード、カバー等に用いられる透光性シートであって、
１又は複数枚の透光性かつ多孔性の基材（２、１２）と、
該基材（２、１２）に含浸させるとともに前記基材（２、１２）の表面及び裏面を被覆した接着剤（３）と、で構成され、
前記接着剤（３）として、澱粉系の糊に適量の耐水強化剤を入れてなる耐水性接着剤（３）を用いたことを特徴とする透光性シート。
【請求項２】
前記耐水強化剤の割合は、使用する接着剤（３）の全重量の１〜１．５％程度であることを特徴とする請求項１に記載の透光性シート。
【請求項３】
前記基材（２、１２）が硝子繊維であることを特徴とする請求項１又は請求項２に記載の透光性シート。
【考案の詳細な説明】
【技術分野】
【０００１】
本考案は、照明器具等を囲うセード、カバー等に用いられる透光性シートに係り、より詳しくは、１又は複数枚の多孔性の基材と、この基材に含浸しつつ基材の表面及び裏面を被覆した接着剤とで構成される透光性シートにおいて、前記接着剤として、澱粉系のりに耐水強化剤を混ぜてなる耐水性接着剤を用いたことを特徴とする透光性シートに関する。
【背景技術】
【０００２】
一般的に、家屋、オフィス等に設置される照明器具は、単に室内等を照明するという機能が要求されるだけでなく、電灯の光を和らげつつ、室内を装飾する機能が併せて要求されることが多い。このため、従来から、室内やオフィス等に設置される照明器具では、セードあるいはスパンと称される装飾用の透光性シートが光源の周囲に配置されることが行われている。
【０００３】
ここで、従来から用いられている透光性シートについて説明すると、従来の透光性シートでは、例えば硝子繊維等の透光性かつ多孔性の基材の表面及び裏面に澱粉系の糊を塗布して構成されており、糊の塗布に際しては、基材表面の糊の層と基材裏面の糊の層とが連通するように、基材に糊を含浸させている。
【０００４】
即ち、従来の透光性シートでは、まず、表面にフッ素系樹脂を塗布した離型板の上に硝子繊維製等の基材を載置し、次に、この硝子繊維製等の基材の上に澱粉系の糊を載せる。そして、その後に、糊が基材を貫通して基材の裏面に滲出するように、糊に上方から圧力を加えて、これにより、基材に糊を含浸させつつ基材の表面及び裏面に糊の層を形成し、その後に糊を乾燥させるとともに、離型板より基材を剥がして製造される。
【０００５】
そして、この透光性シートを室内やオフィス等に設置される照明器具の周囲に配置することで、電灯の光を和らげつつ、照明器具に室内を装飾する機能を与えることができる。
【特許文献１】特開平７−５２３２７号公報
【特許文献２】特開平７−１８２９１３号公報
【特許文献３】特開平８−１０３９９０号公報
【特許文献４】特開２００３−２５５０９号公報
【特許文献５】特開２００３−２５５１４号公報
【特許文献６】実用新案登録第３１３３７１１号公報
【考案の開示】
【考案が解決しようとする課題】
【０００６】
しかしながら、従来の透光性シートは、前述したように、水性の澱粉系の糊を基材に含浸させつつ基材の表面及び裏面に塗布して構成しているために、水分に弱く、水分を含んでしまうと溶けてしまうという問題点がある。
【０００７】
そのため、例えばホテルの部屋や室内に設置されている照明器具のセードとして前述のような透光性シートが用いられている場合において、何らかの原因で水等が透光性シートにかかってしまった場合には、それによって透光性シートの品質が損なわれてしまうという事態が発生していた。
【０００８】
また、透光性シートを照明器具の周囲に配置する場合には、接着剤を用いて透光性シートの端部を貼り合わせることが多いが、このとき、貼り合わせた部分が接着剤の水分によって弱くなってしまうという問題点も指摘されていた。この点、例えば両面テープを使用して透光性シートを貼り合わせることも考えられるが、両面テープを用いた場合には、光源の熱によって接着力が弱くなってしまうという問題点がある。
【０００９】
更に、従来は、照明器具のセードに様々な模様を与えることを目的として、透光性シートを和紙に裏打ちして使用されることが行われており、この場合には、透光性シートの片面又は両面に和紙等を貼付することで透光性シートの裏打ちが行われるが、この和紙に裏打ちするに際しては接着剤を用いるために、接着剤が乾燥した後に和紙にしわが寄ってしまい、これによりセードとしての品質が損なわれるということがあった。
【００１０】
即ち、澱粉系の糊を用いた従来の透光性シートでは、水分を含むと伸びてしまう性質があるため、和紙を貼付するために接着剤を塗布すると伸びてしまう。そして、その状態で和紙を貼り付け、その後時間の経過による乾燥で透光性シートが元の寸法まで縮んでしまうと、それにより、透光性シートに貼付していた和紙にしわが出来てしまうという問題点が発生していた。
【００１１】
そのために従来は、透光性シートの伸縮を最小限に抑えるために、和紙に裏打ちするために用いられる透光性シートでは、これを製造した際には、離型板から剥がさずに貼り付けたままにしておき、和紙に裏打ちする際に、この離型板に貼り付けた状態の透光性シートに、接着剤を介して和紙を貼付していた。そのため、和紙に裏打ちする透光性シートの場合には、離型板に貼り付けたままの状態としておかなければならず、保管場所等に広い空間が必要となるという問題点が指摘されていた。
【００１２】
そこで、本考案は、水分に強く、水分を含んだ場合でも変形しない透光性シートを提供することを課題としている。
【課題を解決するための手段】
【００１３】
本考案の透光性シートは、照明器具等を囲うセード、カバー等に用いられる透光性シートであって、１又は複数枚の透光性かつ多孔性の基材と、該基材に含浸させるとともに前記基材の表面及び裏面を被覆した接着剤と、で構成され、
前記接着剤として、澱粉系の糊に適量の耐水強化剤を入れてなる耐水性接着剤を用いたことを特徴としている。
【考案の効果】
【００１４】
本考案の透光性シートでは、透光性かつ多孔性の基材と、この基材に含浸するとともに基材の表面及び裏面を被覆した接着剤とで構成される透光性シートにおいて、前記接着剤として、澱粉系の糊に適量の耐水強化剤を入れてなる耐水性接着剤を用いているために、水分を含んでも溶けることがなく、また、水分の影響で伸縮、変形することが無い。
【００１５】
従って、本考案の透光性シートによれば、何らかの原因で水等が透光性シートにかかってしまった場合でも、それによって透光性シートが溶けてしまうという事態を防止できる。
【００１６】
また、本考案の透光性シートを照明器具の周囲に配置する場合において、接着剤を用いて透光性シートの端部を貼り合わせた場合でも、貼り合わせた部分が接着剤の水分によって弱くなってしまうことも無くなる。
【００１７】
更に、本考案の透光性シートを和紙に裏打ちする場合においても、接着剤によって本考案の透光性シートが伸縮することが無いために、和紙にしわが出来てしまうことがなく、高い品質のセードを得ることができる。
【００１８】
そしてそのために、本考案の透光性シートを離型板に貼り付けたままの状態で保管しておく必要もなくなり、保管場所等に広い空間が必要となるという問題点も解決できる。
【考案を実施するための最良の形態】
【００１９】
本考案の透光性シートでは、１又は複数枚の透光性かつ多孔性の基材を有しており、この基材には接着剤が含浸されているとともに、基材に含浸された接着剤は、基材の表面及び裏面に露出しており、これにより、基材の表面及び裏面は接着剤で被覆されている。
【００２０】
そして、前記接着剤としては、澱粉系の糊に適量の耐水強化剤を入れてなる耐水性接着剤を用いている。
【００２１】
ここで、澱粉系の糊に入れる耐水強化剤の割合としては、使用する接着剤の全重量の１〜１．５％とするとよい。
【００２２】
また、前記基材としては、透光性かつ多孔性の硝子繊維を用いるとよく、これにより、光源の熱による影響を受けることのない透光性シートとすることができる。
【実施例１】
【００２３】
本考案の透光性シートの実施例について図面を参照して説明すると、図１は、本実施例の透光性シートの構造を示す断面図であり、図において１が本実施例の透光性シートである。
【００２４】
そして、本実施例の透光性シート１では基材を有している。即ち、図において２が前記基材であり、本実施例においてこの基材としては、透光性かつ多孔性の硝子繊維を用いており、具体的には硝子繊維性の不織布を用いている。
【００２５】
次に、本実施例の透光性シート１においては、前記基材２の表面及び裏面に澱粉系の糊からなる接着剤３を塗布するとともに、この接着剤３を、前記基材２に含浸しており、前記基材２と接着剤３とを一体にして構成している。
【００２６】
そして、本実施例において前記接着剤３は、澱粉系の糊の中に耐水強化剤を入れてなる耐水性接着剤を用いている。
【００２７】
ここで、本実施例において用いる前記耐水性接着剤について説明すると、本実施例においては、澱粉系糊を製造するに際して、耐水強化剤を混ぜ合わせることで前記耐水性接着剤を製造している。
【００２８】
具体的には、溶解槽に水を仕込んだ後に、その中に小麦澱粉を仕込んで澱粉系糊を製造するに際して、耐水強化剤として、日本合成化学工業株式会社製の商品名「グリオキザール」を入れ、この耐水強化剤を入れた前記溶解槽内を撹拌することで製造している。そして、前記耐水強化剤の割合としては、製造した澱粉系糊の重量の１〜１．５％になるようにしている。そしてこれにより、水分の影響を受けても伸縮しない耐水接着剤を得ている。
【００２９】
従って、本実施例の透光性シート１では、従来の透光性シート等と異なり、水分を含んでも溶けることがなく、また水分の影響で伸縮することもない。そのため、何らかの原因で水等が透光性シートにかかってしまった場合でも、それによって透光性シートが溶けてしまうという事態を防止できる。
【００３０】
また、本考案の透光性シートを照明器具の周囲に配置する場合において、接着剤を用いて透光性シートの端部を貼り合わせた場合でも、貼り合わせた部分が接着剤の水分によって弱くなってしまうことも無くなる。
【００３１】
更に、本考案の透光性シートを和紙に裏打ちして使用する場合においても、接着剤によって本考案の透光性シートが変形することが無いために、和紙にしわが出来てしまうことがない。そしてそのために、本考案の透光性シートを離型板に貼り付けたままの状態で保管しておく必要もなくなり、保管場所等に広い空間が必要となるという問題点も解決できる。
【００３２】
なお、耐水強化剤としては、必ずしも前述の製品を用いる必要はなく、そのほか、例えばホウ酸を耐水強化剤として用いてもよい。
【００３３】
次に、このように構成される本実施例の透光性シート１の製造方法について説明すると、図２は本実施例の透光性シート１の製造工程を示す図であり、図２（Ａ）において、表面にフッ素加工を施した離型板、あるいは塩ビ性の離型板４の上に、基材としての硝子繊維製不織布２を載置する。
【００３４】
次に、図２（Ｂ）において、前記硝子繊維製不織布の基材２の上に、前述のようにして製造した耐水性接着剤３を塗布する。
【００３５】
そして次に、基材２の上に塗布した耐水性接着剤３に上から圧力を加えて、これにより、前記基材２に耐水性接着剤３を含浸させつつ、含浸させた耐水性接着剤３の一部を基材２の裏面に滲出させ、これにより、耐水性接着剤３が、基材２に含浸されつつ基材２の表裏面を被覆した状態にする。この状態が図２（Ｃ）である。
【００３６】
そして、その後に、耐水性接着剤３を乾燥させて基材２と耐水性接着剤３とを一体化した後に、基材２を離型板４より剥がし、これにより本実施例の透光性シート１が完成する。
【００３７】
このように、本実施例の透光性シート１では、基材２に含浸させる接着剤として耐水性接着剤を用いているため、従来の透光性シートと異なり、水分を含んでも溶けることがなく、また水分の影響で伸縮、変形することがない。
【００３８】
そのため、この透光性シートを和紙に裏打ちする場合でも、接着剤が乾燥した後に和紙にしわが出来ることもなく、そのため、離型紙に貼り付けた状態で保管しておく必要もなく、保管等が容易となる。
【００３９】
なお、前述のように澱粉糊の製造において過程で耐水強化剤を入れる過程において、例えば任意の色の顔料インク等の色素をいれてもよく、これにより完成した透光性シートをカラーにすることも可能である。
【００４０】
なお、前述の実施例では、基材としては１枚の硝子繊維を用いた場合を説明したが、本考案の透光性シート１においては、必ずしも１枚の硝子繊維を基材として用いる必要はない。従って、図３に示すように、複数枚の硝子繊維性不織布（１２０１、１２０２）を重ね合わせて基材１２を構成した透光性シート１１としてもよい。
【産業上の利用可能性】
【００４１】
本考案の透光性シートでは、水分に強いシートを得ることができるために、照明器具用のセードに限定されず、インテリア製品全般に適用可能である。
【図面の簡単な説明】
【００４２】
【図１】本考案の透光性シートの実施例の構造を説明するための断面図である。
【図２】本考案の透光性シートの実施例の製造方法を説明するための工程図である。
【図３】本考案の透光性シートの他の形態を説明するための断面図である。
【符号の説明】
【００４３】
１、１１    透光性シート
２、１２    基材
３    接着剤
４    離型板
【図１】
0003143533.tif 000003
【図２】
0003143533.tif 000004
【図３】
0003143533.tif 000005